(57)【要約】【課題】所定の周波数信号を発生させる信号発生装置を別途用意することなく、アンテナ特性の調整処理を行うことができる電波受信装置を提供する。【解決手段】電波を受信するアンテナ（１１）と、アンテナの周波数特性の調整を行う同調手段（１２）と、受信信号を周波数変換する周波数変換手段（１４）と、発振信号を供給するローカル発振手段（１８）と、ローカル発振手段の発振信号をアンテナ（１１）又は同調手段（１２）まで伝送可能な伝送手段（２２）と、伝送手段を作動状態と非作動状態とに切り換える切換手段（ＳＷ８，ＳＷ９）と、周波数変換手段（１４）を通過した信号の検出を行う検出手段（２０）とを備えている。【選択図】図１
2010268257.tif 000002
【特許請求の範囲】
【請求項１】
電波を受信するアンテナと、
アンテナの周波数特性の調整を行う同調手段と、
前記アンテナにより受信された受信信号を発振信号と混合させて周波数変換する周波数変換手段と、
前記周波数変換手段に前記発振信号を供給するローカル発振手段と、
前記周波数変換手段により周波数変換された受信信号から情報信号を抽出する受信処理手段と、
前記ローカル発振手段の発振信号を前記アンテナ又は前記同調手段まで伝送可能な伝送手段と、
該伝送手段を作動状態と非作動状態とに切り換える切換手段と、
前記周波数変換手段を通過した信号の検出を行う検出手段と、
を備えたことを特徴とする電波受信装置。
【請求項２】
前記同調手段の特性の切り換え制御を行う制御手段を備え、
前記制御手段は、
前記切換手段により前記伝送手段が作動状態にされた状態で、前記検出手段により前記周波数変換手段により周波数変換された信号を検出させながら、前記同調手段の特性を切り換えることで、前記アンテナの共振周波数を希望波の周波数に近づける前記同調手段の設定状態を探索する同調処理を行うことを特徴とする請求項１記載の電波受信装置。
【請求項３】
前記ローカル発振手段は発振周波数を変更可能な構成であり、
前記制御手段は、
前記ローカル発振手段の発振周波数を希望波の周波数とほぼ同一の周波数に変更して、前記同調処理を実行することを特徴とする請求項２記載の電波受信装置。
【請求項４】
前記周波数変換手段の出力信号から直流成分の信号を抽出するフィルタ手段を備え、
前記検出手段は、
前記フィルタ手段を通過した信号のレベルを検出する構成であることを特徴とする請求項２記載の電波受信装置。
【請求項５】
前記伝送手段は、前記発振信号を伝送する伝送線路の出力端が、前記アンテナと前記同調手段との間の信号線に接続される構成であることを特徴とする請求項１記載の電波受信装置。
【請求項６】
前記伝送手段は、前記発振信号を伝送する伝送線路の出力端が、前記同調手段内の信号線に接続される構成であることを特徴とする請求項１記載の電波受信装置。
【請求項７】
前記伝送手段は、前記発振信号を伝送する伝送線路の出力端が、前記アンテナの信号線に接続される構成であることを特徴とする請求項１記載の電波受信装置。
【請求項８】
前記伝送手段は、前記アンテナと電磁的に結合した副次的なコイルを備え、当該副次的なコイルを介して電磁結合により前記発振信号を前記アンテナに伝送することを特徴とする請求項１記載の電波受信装置。
【請求項９】
前記伝送手段は、前記発振信号を電波出力する放射用アンテナを備え、前記放射用アンテナを介して前記発振信号を前記アンテナに伝送することを特徴とする請求項１記載の電波受信装置。
【請求項１０】
前記アンテナはコアにコイルを巻回してなるバーアンテナであり、
前記同調手段は前記アンテナに接続される可変容量を有していることを特徴とする請求項１記載の電波受信装置。
【発明の詳細な説明】
【技術分野】
【０００１】
この発明は、アンテナと同調手段とを備えた電波受信装置に関する。
【背景技術】
【０００２】
アンテナを介して電波を送受信する送受信装置においては、アンテナの周波数特性を調整するために容量値などが可変にされた同調回路を備えるものがある（例えば特許文献１，２）。同調回路の特性を適宜調整することで、素子の特性バラツキに起因してアンテナの共振周波数が希望波の周波数からずれてしまった場合でも、このズレを補正することができる。
【０００３】
アンテナの特性バラツキは、例えば、電波時計におけるバーアンテナ等においては、アンテナ単体の製造バラツキに加え、アンテナが装置の金属ケースの近傍に配置されたり、アンテナの近傍に導体が配置されたりすることで、アンテナのインダクタンス成分が変化することによって生じる。
【０００４】
従来、アンテナの共振周波数の調整処理は、例えば、製造工程において外部から希望波の周波数信号を電波受信装置へ供給するとともに、電波受信装置においてこの周波数信号を受信しながら受信レベルが最適になるように同調回路の設定状態を変更することで行われていた。
【先行技術文献】
【特許文献】
【０００５】
【特許文献１】特開２０００−２３１６０９号公報
【特許文献２】特開平１１−３１２９５８号公報
【発明の概要】
【発明が解決しようとする課題】
【０００６】
しかしながら、上記従来のアンテナの調整処理は、外部から電波受信装置へ希望波の周波数信号を供給するための信号発生装置を別途必要とし、さらに、外界の電波をなるだけ遮断して信号発生装置の電波のみが受信される環境で調整処理を行う必要がある。
【０００７】
本発明は、所定の周波数信号を発生させる信号発生装置を別途用意することなく、アンテナ特性の調整処理を行うことができる電波受信装置を提供することにある。
【課題を解決するための手段】
【０００８】
上記目的を達成するため、請求項１記載の発明は、
電波を受信するアンテナと、
アンテナの周波数特性の調整を行う同調手段と、
前記アンテナにより受信された受信信号を発振信号と混合させて周波数変換する周波数変換手段と、
前記周波数変換手段に前記発振信号を供給するローカル発振手段と、
前記周波数変換手段により周波数変換された受信信号から情報信号を抽出する受信処理手段と、
前記ローカル発振手段の発振信号を前記アンテナ又は前記同調手段まで伝送可能な伝送手段と、
該伝送手段を作動状態と非作動状態とに切り換える切換手段と、
前記周波数変換手段を通過した信号の検出を行う検出手段と、
を備えたことを特徴としている。
【０００９】
請求項２記載の発明は、請求項１記載の電波受信装置において、
少なくとも前記同調手段の特性を切り換える制御を行う制御手段を備え、
前記制御手段は、
前記切換手段により前記伝送手段が作動状態にされた状態で、前記検出手段により前記周波数変換手段により周波数変換された信号を検出させながら、前記同調手段の特性を切り換えることで、前記アンテナの共振周波数を希望波の周波数に近づける前記同調手段の設定状態を探索する同調処理を行うことを特徴としている。
【００１０】
請求項３記載の発明は、請求項２記載の電波受信装置において、
前記ローカル発振手段は発振周波数を変更可能な構成であり、
前記制御手段は、
前記ローカル発振手段の発振周波数を希望波の周波数とほぼ同一の周波数に変更して、前記同調処理を実行することを特徴としている。
【００１１】
請求項４記載の発明は、請求項２記載の電波受信装置において、
前記周波数変換手段の出力信号から直流成分の信号を抽出するフィルタ手段を備え、
前記検出手段は、
前記フィルタ手段を通過した信号のレベルを検出する構成であることを特徴としている。
【００１２】
請求項５記載の発明は、請求項１記載の電波受信装置において、
前記伝送手段は、前記発振信号を伝送する伝送線路の出力端が、前記アンテナと前記同調手段との間の信号線に接続される構成であることを特徴としている。
【００１３】
請求項６記載の発明は、請求項１記載の電波受信装置において、
前記伝送手段は、前記発振信号を伝送する伝送線路の出力端が、前記同調手段内の信号線に接続される構成であることを特徴としている。
【００１４】
請求項７記載の発明は、請求項１記載の電波受信装置において、
前記伝送手段は、前記発振信号を伝送する伝送線路の出力端が、前記アンテナの信号線に接続される構成であることを特徴としている。
【００１５】
請求項８記載の発明は、請求項１記載の電波受信装置において、
前記伝送手段は、前記アンテナと電磁的に結合した副次的なコイルを備え、当該副次的なコイルを介して電磁結合により前記発振信号を前記アンテナに伝送することを特徴としている。
【００１６】
請求項９記載の発明は、請求項１記載の電波受信装置において、
前記伝送手段は、前記発振信号を電波出力する放射用アンテナを備え、前記放射用アンテナを介して前記発振信号を前記アンテナに伝送することを特徴としている。
【００１７】
請求項１０記載の発明は、請求項１記載の電波受信装置において、
前記アンテナはコアにコイルを巻回してなるバーアンテナであり、
前記同調手段は前記アンテナに接続される可変容量を有していることを特徴としている。
【発明の効果】
【００１８】
本発明に従うと、伝送手段によってローカル発振手段の発振信号をアンテナ又は同調手段に伝送するとともに、検出手段により周波数変換手段を通過した信号を検出しながら、アンテナの周波数特性の調整を行うことができる。
【図面の簡単な説明】
【００１９】
【図１】本発明の第１実施形態の電波受信装置の全体を示す構成図である。
【図２】同調回路のコンデンサ切換えデータとアンテナの共振周波数との関係を示すグラフである。
【図３】制御回路により実行されるアンテナ自動調整処理の制御手順を示すフローチャートである。
【図４】発振信号を伝送する構成の第１変形例を示す構成図である。
【図５】発振信号の伝送する構成の第２変形例を示す構成図である。
【図６】発振信号の伝送する構成の第３変形例を示す構成図である。
【図７】発振信号の伝送する構成の第４変形例を示す構成図である。
【発明を実施するための形態】
【００２０】
以下、本発明の実施の形態を図面に基づいて説明する。
【００２１】
図１は、本発明の第１実施形態の電波受信装置の全体を示す構成図である。
【００２２】
この実施形態の電波受信装置１は、例えば、電波時計に搭載されて標準電波の受信とタイムコード信号の復調処理等を行うものである。この電波受信装置１は、受信チャンネルを切り換えることで、各国複数の周波数（例えば、４０ｋＨｚ、６０ｋＨｚ、６８．５ｋＨｚ、７５ｋＨｚ、７７．５ｋＨｚ）の標準電波をそれぞれ受信可能に構成されている。
【００２３】
この電波受信装置１は、スーパーヘテロダイン方式の回路構成を有するもので、図１に示すように、電波を受信するアンテナ１１と、アンテナ１１の共振周波数を調整する同調回路１２と、受信信号を増幅するＲＦアンプ１３と、受信信号をローカル周波数の発振信号と混合することで中間周波数の信号に変換するミキサ１４と、中間周波数の信号を通過させてその他の周波数の信号を減衰させるバンドパスフィルタ１５と、中間周波数の信号を増幅するＩＦアンプ１６と、中間周波数の受信信号を検波してタイムコード信号を抽出する検波回路１７と、ミキサ１４にローカル周波数の発振信号を供給するローカル発振器１８と、同調回路１２の調整処理中にミキサ１４の出力から直流成分を通過させるＤＣフィルタ１９と、同調回路１２の特性の切換制御や電波受信の全体的な制御を行う制御回路２０等を備えている。バンドパスフィルタ１５、ＩＦアンプ１６、および、検波回路１７によって受信処理手段が構成されている。
【００２４】
また、この電波受信装置１は、さらに、伝送手段として、ローカル発振器１８の発振信号をアンテナ１１と同調回路１２との間の信号線に伝送可能な伝送線路２２、および、スイッチＳＷ８，ＳＷ９等が設けられている。
【００２５】
アンテナ１１は、例えば、コアに巻線が形成されてなるバーアンテナである。アンテナ１１は、同調回路１２と結合した共振回路の共振周波数で受信感度がピークとなり、共振周波数から外れるに従って受信感度が低くなる特性を有している。アンテナ１１の受信周波数帯域はアンテナ１１が小型化されることでさほど広くはならないが、バンドパスフィルタ１５のＱ値と比較すれば、アンテナ１１の受信感度の周波数特性のＱ値（ピークの鋭さ）は高くない。
【００２６】
同調回路１２は、例えば、アンテナ１１の両端子間に並列接続された容量素子Ｃ８と、アンテナ１１の両端子間に並列接続又は切断可能にされた複数の容量素子Ｃ１〜Ｃ７と、これら容量素子Ｃ１〜Ｃ７の接続／切断を切り換える複数のスイッチＳＷ１〜ＳＷ７とを備えている。これらのスイッチＳＷ１〜ＳＷ７を適宜な組み合わせでオン・オフ制御することで、同調回路１２の容量値が変化して、アンテナ１１のインダクタンス成分と結合した共振回路の共振周波数を調整することができる。
【００２７】
ＲＦアンプ１３は、利得可変型のアンプであり、標準電波の受信時に、例えば制御回路２０からのＡＧＣ（自動利得制御）電圧によって利得制御される。
【００２８】
ローカル発振器１８は、複数の受信チャンネルに対応して、予め定められた複数種類の周波数の発振信号を出力可能なものである。ローカル発振器１８は、例えば、内部に電圧制御発振器１８ａや分周器１８ｂを有するＰＬＬ（Phase-locked loop）回路からなり、制御回路２０からのコントロール信号によって分周器１８ｂの分周比が切り換えられることによって、ローカル発振器１８から出力される発振信号の周波数が切り換えられるようになっている。詳細には、この実施形態のローカル発振器１８は、各国の標準電波の周波数（例えば、４０ｋＨｚ、６０ｋＨｚ、６８．５ｋＨｚ、７５ｋＨｚ、７７．５ｋＨｚ）に対応して、これらの周波数信号を予め定められた中間周波数（例えば９０Ｈｚ）の信号に変換する複数のローカル周波数の発振信号が生成可能になっている。
【００２９】
バンドパスフィルタ１５は、ミキサ１４の出力から中間周波数（例えば９０Ｈｚ）の信号を通過させるものである。バンドパスフィルタ１５は非常に狭帯域な通過特性を有するものが用いられている。
【００３０】
伝送線路２２は、ローカル発振器１８の出力線から発振信号の供給を受けて、アンテナ１１と同調回路１２との間の信号線まで導くものである。この実施形態では、伝送線路２２は途中で二つに分岐され、その一方には反転アンプ２３が介在して発振信号の極性を反転させるようになっている。そして、アンテナ１１に接続される２本の信号線にローカル発振器１８の発振信号が差動信号として入力されるようになっている。
【００３１】
伝送線路２２は、その出力側においてスイッチＳＷ８，ＳＷ９が接続されており、スイッチＳＷ８，ＳＷ９がオンにされることでローカル発振器１８の発振信号が信号線に伝送される一方、スイッチＳＷ８，ＳＷ９がオフにされることで発振信号は遮断されてアンテナ１１の信号線に伝送されないようになっている。発振信号が信号線に伝送される状態が伝送手段の作動状態であり、発振信号が遮断されて伝送されない状態が伝送手段の非作動状態である。
【００３２】
伝送線路２２上には、さらに、その出力端側に抵抗Ｒ１，Ｒ２が接続されており、スイッチＳＷ８，ＳＷ９がオンされたときに、伝送線路２２やミキサ１４の容量成分が、アンテナ１１および同調回路１２の周波数特性に影響を与えることがないようにされている。なお、抵抗Ｒ１，Ｒ２の代わりに容量値の小さな結合コンデンサを用いることもできる。
【００３３】
ＤＣフィルタ１９は、ミキサ１４の出力から交流成分を除去して直流成分の信号を抽出するものである。ＤＣフィルタ１９の出力端子は、スイッチＳＷ１０を介して制御回路２０のＡＤ変換用の入力端子ＡＤＣに接続されている。この制御回路２０の入力端子ＡＤＣには、検波回路１７の出力端子もスイッチＳＷ１１を介して接続されており、スイッチＳＷ１０，ＳＷ１１の切換状態によって、制御回路２０において、ＤＣフィルタ１９の出力がＡＤ変換されたり、検波回路１７の出力がＡＤ変換されたりするようになっている。この制御回路２０のＡＤ変換機能によって検出手段が構成されている。
【００３４】
なお、後述するアンテナ自動調整処理の際や、標準電波の受信処理の際に、ＤＣフィルタ１９の出力と検波回路１７の出力とか干渉しないのであれば、スイッチＳＷ１０，ＳＷ１１は省略することもできる。
【００３５】
制御回路２０は、内部に、ＡＤコンバータ、ＣＰＵ（中央演算処理装置）、制御データや制御プログラムを格納したＲＯＭ（Read Only Memory）、ＣＰＵに作業用のメモリ空間を提供するＲＡＭ（Random Access Memory）、カウンタ、外部に制御信号を出力するＩ／Ｏ回路等を備えている。ＡＤコンバータは入力端子ＡＤＣに入力された信号をＡＤ変換して、そのデジタル値をＣＰＵにより読み取り可能に出力するものである。Ｉ／Ｏ回路には、同調回路１２のスイッチＳＷ１〜ＳＷ７、伝送線路２２の接続／切断を切り換えるスイッチＳＷ８，ＳＷ９、および、入力端子ＡＤＣの接続をＤＣフィルタ１９側と検波回路１７側とに切り換えるスイッチＳＷ１０，Ｓ１１をそれぞれオン・オフさせる制御信号を出力する出力端子Ｓ１〜Ｓ８や、ＲＦアンプ１３にＡＧＣ電圧を出力する出力端子ＡＧＣ、および、ローカル発振器１８の周波数を切り換えるコントロール信号の出力端子ＣＴＬ１が備わっている。カウンタは、出力端子Ｓ１〜Ｓ７の出力状態を決定する７ビットのカウンタである。
【００３６】
制御回路２０のＲＯＭには、標準電波を受信してタイムコードを判読する電波受信処理の処理プログラムや、各受信チャンネルごとに同調回路１２の設定調整を行って最適な設定状態を記憶するアンテナ自動調整処理プログラムなどが格納されている。
【００３７】
図２には、同調回路１２の設定状態を決定するカウンタ値とアンテナ１１の共振周波数との関係を表わしたグラフを示す。同図において、縦軸がアンテナ１１の共振周波数、横軸がコンデンサＣ１〜Ｃ７の切り換え状態を表わすカウンタ値を表わしている。同図中、黒横棒のプロット線が、コンデンサＣ１〜Ｃ７が標準的な容量値のときの特性線、四角プロット線が、コンデンサＣ１〜Ｃ７の容量値が＋２０％の誤差を有するときの特性線、三角プロット線が、コンデンサＣ１〜Ｃ７の容量値が−２０％の誤差を有するときの特性線である。
【００３８】
同調回路１２に設けられた複数のコンデンサＣ１〜Ｃ７は、例えば、容量値の小さい方から容量値がほぼ２のべき乗で大きくなるように設定されている。例えば、コンデンサＣ１〜Ｃ７の容量値として３．４ｐＦ、６．８ｐＦ、１４ｐＦ、２７ｐＦ、５４ｐＦ、１０９ｐＦ、２１８ｐＦなどが設定されている。このような容量値により、制御回路２０の出力端子Ｓ１〜Ｓ７の７ビットの信号に応じて、コンデンサＣ１〜Ｃ７の接続が切り換えられることで、アンテナ１１の共振周波数は、図２に示すようになだらかに変化するようになっている。出力端子Ｓ１〜Ｓ７の７ビットの信号値を１０進数で表わしたものが横軸のカウンタ値となる。
【００３９】
コンデンサＣ１〜Ｃ７の容量値は、±１０％程度の製造バラツキが生じるが、複数のコンデンサＣ１〜Ｃ７を１チップの半導体上に作成すれば、各コンデンサＣ１〜Ｃ７の誤差はそれぞれ同一の割合で生じることになる。従って、図２の四角プロット線や三角プロット線に示すように、コンデンサＣ１〜Ｃ７の誤差に応じて、アンテナ１１の共振周波数の特性線は標準的な特性線に対して全体的に上下に値を変化させるが、出力端子Ｓ１〜Ｓ７の７ビットの信号値に応じてなだらかに変化するという特性については変化しない。
【００４０】
従って、図２に示すように、アンテナ１１のインダクタンス値に合わせて、同調回路１２の固定コンデンサＣ８の容量値と、接続／切断の切り換えが可能にされた複数のコンデンサＣ１〜Ｃ７の容量値とを適宜選定することで、これらインダクタンス値や容量値に誤差が生じても、コンデンサＣ１〜Ｃ７の接続／切断の切り換えを適宜行うことで、複数チャンネルの受信周波数（例えば、４０ｋＨｚ、６０ｋＨｚ、６８．５ｋＨｚ、７５ｋＨｚ、７７．５ｋＨｚ）にそれぞれ対応するように、アンテナ１１の共振周波数を調整することが可能になっている。
【００４１】
次に、上記構成の電波受信装置１の動作について説明する。
【００４２】
［アンテナ自動調整処理］
図３には、制御回路２０のＣＰＵにより実行されるアンテナ自動調整処理のフローチャートを示す。
【００４３】
アンテナ自動調整処理は、例えば、工場出荷前の調整工程において外部から入力される指令に基づき実行されるものである。その他、製品出荷後に例えば図示略の操作部を介して外部から調整処理の実行指令が与えられた場合や、電波受信処理中に受信レベルが低下して正常な受信処理が継続的に行えない場合に実行されるようにしても良い。
【００４４】
アンテナ自動調整処理が開始されると、ＣＰＵは、先ず、スイッチＳＷ８〜ＳＷ１０をオン、スイッチＳＷ１１をオフにする。さらに、ＡＧＣ電圧を固定とし、出力端子Ｓ１〜Ｓ７の出力値を決定する７ビットカウンタの値ｂｉｎを“１２７”にセットする（ステップＪ１）。“１２７”とは出力端子Ｓ１〜Ｓ７の７ビットの信号が全て論理値“１（オン制御）”となる値である。
【００４５】
上記のスイッチＳＷ８〜ＳＷ１１の切り換えにより、制御回路２０のＡＤ変換用の入力端子ＡＤＣにはＤＣフィルタ１９を通過した信号が送られ、且つ、ローカル発振器１８の発振信号を伝送する伝送線路２２がアンテナ１１と同調回路１２との間の信号線に接続された状態となる。
【００４６】
次に、ＣＰＵは、ローカル発振器１８にコントロール信号を出力して発振信号のローカル周波数（“ＬＯ”）を４０ｋＨｚの受信チャンネル用の周波数（例えば４００９０Ｈｚ）に切り換える（ステップＪ２）。
【００４７】
すると、ローカル発振器１８からローカル周波数（例えば４００９０Ｈｚ）の発振信号がミキサ１４に供給されるとともに、この発振信号がアンテナ１１と同調回路１２の間の信号線にも伝送される。そして、アンテナ１１と同調回路１２は、同調回路１２の設定状態に応じたアンテナ１１の周波数特性に応じた受信感度で、この発振信号をＲＦアンプに伝える。
【００４８】
すなわち、同調回路１２の設定により、アンテナ１１の共振周波数が、ローカル周波数（例えば４００９０Ｈｚ）に近ければ、発振信号がアンテナ１１と同調回路１２を伝わって大きな信号レベルでＲＦアンプ１３に入力されるし、アンテナ１１の共振周波数がローカル周波数から外れれば外れるほど、ＲＦアンプ１３に入力される発振信号は小さな信号レベルになる。アンテナ１１の受信感度は狭帯域の特性を有するものの、そのＱ値はさほど高くはないので、アンテナ１１の共振周波数がローカル周波数から少し外れただけでは、ＲＦアンプ１３に入力される発振信号の信号レベルはゼロに近づくことはない。
【００４９】
そして、発振信号がＲＦアンプ１３に入力されると、続いて、ミキサ１４によってＲＦアンプ１３の出力とローカル発振器１８の出力とが混合され、両者は同一の周波数信号であるため、直流信号に変換される。そして、この直流信号がＤＣフィルタ１９を通過して制御回路２０の入力端子ＡＤＣに送られる。この直流信号の信号レベルはＲＦアンプ１３の出力レベルと比例するため、アンテナ１１の共振周波数がローカル周波数に近いときには高い信号レベルとなり、アンテナ１１の共振周波数がローカル周波数から外れれば外れるほど低い信号レベルとなる。
【００５０】
次に、ＣＰＵは、上記の状態においてＤＣフィルタ１９の出力をＡＤ変換し、このＡＤ変換した値を、同調回路１２の設定状態を表わすカウンタ値ｂｉｎと対応づけてＲＡＭに保存する（ステップＪ３）。
【００５１】
続いて、ＣＰＵは、同調回路１２のスイッチＳＷ１〜ＳＷ７の切り換え状態を決定するカウンタ値ｂｉｎを、例えば「１」減算するなどずらす（ステップＪ４）。さらに、カウンタ値ｂｉｎが一周分ずれたか判別する（ステップＪ５）。そして、一周分ずれていなければステップＪ３に戻って、ＤＣフィルタ１９の出力をＡＤ変換して変換値を記憶する処理から繰り返す。
【００５２】
これらのステップＪ３〜Ｊ５のループ処理を繰り返すことで、例えば、カウンタ値ｂｉｎが順に減算されて同調回路１２の容量値が最大値から最小値まで順に切り換えられ、各々の切り換え状態のときに、アンテナ１１および同調回路１２を伝わってミキサ１４により直流信号に変換された信号の信号レベルがＡＤ変換されてＲＡＭに記憶されることになる。
【００５３】
ここで、同調回路１２の設定状態によりアンテナ１１の共振周波数がローカル周波数に近いときのＡＤ変換値は大きな値として記憶され、アンテナ１１の共振周波数がローカル周波数から外れたときのＡＤ変換値は小さな値として記憶される。
【００５４】
そして、同調回路１２の設定状態を決定するカウンタ値ｂｉｎが一周分ずらされて、再び“１２７”の値に戻っていれば、ステップＪ５の判別処理でステップＪ３〜Ｊ５のループ処理を抜ける。
【００５５】
ループ処理を抜けたら、ステップＪ３でＲＡＭに記憶してきた複数のＡＤ変換値の中から最大値を求め、この最大値に対応したカウンタ値ｂｉｎを抽出する。そして、このカウンタ値ｂｉｎを、現在の受信チャンネルにおける同調回路１２の最適な設定値としてＲＡＭに記憶する（ステップＪ６）。或いは、不揮発性のメモリに書き込んで、電源が切れても消えないように保存するようにしても良い。
【００５６】
ここで、上記のＡＤ変換値の最大値に対応したカウンタ値ｂｉｎとは、アンテナ１１の共振周波数をローカル発振器１８の発振周波数とほぼ等しくする同調回路１２の設定値である。また、ローカル発振器１８の発振周波数は、希望波である標準電波の周波数から中間周波数（例えば９０Ｈｚ）だけずれた周波数である。従って、このカウンタ値ｂｉｎは、アンテナ１１の共振周波数を標準電波の周波数から中間周波数だけずらした周波数にほぼ合わせる設定値ということになる。本来、アンテナ１１の共振周波数は、標準電波の周波数と等しくなるように設定するのが好ましい。しかしながら、アンテナ１１の受信感度のＱ値はさほど高くなく、且つ、中間周波数（例えば９０Ｈｚ）は受信周波数に比べて非常に小さい値に設定されている。そのため、アンテナ１１の共振周波数が中間周波数分ずれて設定されても、希望波の周波数と完全に等しく設定されている場合と比較して、さほどアンテナ１１の受信感度には影響せず、高い感度で標準電波を受信することが可能となる。
【００５７】
なお、アンテナ１１の感度の周波数特性が非常に狭帯域のものであった場合や、中間周波数が比較的大きな値になった場合には、中間周波数分のずれが受信感度に影響を与えることになることもありえる。このような場合には、次のような２種類の方式で、この中間周波数分のずれを解消することができる。
【００５８】
１つめの方式は、ローカル発振器１８を、その発振周波数を希望波の周波数とほぼ同一の周波数に切り換えられるように構成し、ステップＪ２の発振信号の切り換え処理の際にローカル発振器１８の発振周波数を希望波の周波数とほぼ同一の周波数に切り換える方法である。このような方法によれば、ステップＪ３〜Ｊ６の処理内容を全く同一としたまま、アンテナ１１の共振周波数を希望波の周波数に合わせることができる。
【００５９】
２つめの方式は、アンテナ１１の共振周波数をほぼ中間周波数分ずらすカウンタ値ｂｉｎの補正量を予め求めておき、ステップＪ６の処理で希望波の周波数から中間周波数分ずらされた同調回路１２の設定値が求まったら、その設定値（カウンタ値ｂｉｎ）から上記の補正量を加算又は減算することで、中間周波数分のズレを解消する方法である。このような方法によっても、アンテナ１１の共振周波数を希望波の周波数にほぼ合わせることができる。
【００６０】
上記のように、アンテナ１１の共振周波数を希望波の周波数にほぼ合わせるカウンタ値ｂｉｎを保存したら、次のステップに移行して、先ず、最後の受信チャンネル（周波数７７．５ｋＨｚ）の処理を完了したか判別する（ステップＪ７）。そして、まだであればステップＪ２に戻って、受信チャンネルを順次切り換えて、再びステップＪ３〜Ｊ７の処理を繰り返す。この繰り返しの処理により、複数の受信チャンネル（４０ｋＨｚ、６０ｋＨｚ、６８．５ｋＨｚ、７５ｋＨｚ、７７．５ｋＨｚ）のそれぞれにおいて、最適な同調回路１２の設定値がＲＡＭ等に保存される。
【００６１】
そして、ステップＪ７の判別処理で、最後の受信チャンネルの処理が完了したと判別されたら、ステップＪ２〜Ｊ７のループ処理を抜ける。そして、このループ処理を抜けたら、ＣＰＵはスイッチＳＷ８〜ＳＷ１０をオフ、スイッチＳＷ１１をオンにする（ステップＪ８）。これにより、伝送線路２２を介した発振信号の伝送が遮断され、制御回路２０の入力端子ＡＤＣへの接続が、ＤＣフィルタ１９の出力から検波回路１７の出力へと切り換えられる。すなわち、通常の電波受信処理が可能な状態に切り換えられる。
【００６２】
そして、このようなスイッチＳＷ８〜ＳＷ１１の切り換えを行ったら、このアンテナ自動調整処理を終了する。
【００６３】
［電波受信処理］
電波受信処理は、制御回路２０の出力端子Ｓ８からの制御信号によりスイッチＳＷ８〜ＳＷ１０がオフ、スイッチＳＷ１１がオンされた状態で実行される。また、電波受信処理の際には、別系統の制御情報に基づき標準電波の受信地域が指定された状態にされる。
【００６４】
そして、所定条件に基づいて電波受信処理が開始されると、制御回路２０は、指定された受信地域の情報から、標準電波の受信チャンネルに変更があったか確認し、変更があれば現在の受信チャンネルに対応して保存されている同調回路１２の設定値（カウンタ値ｂｉｎ）を読み出す。そして、この設定値を、出力端子Ｓ１〜Ｓ７の出力を決定する７ビットカウンタに設定する。すると、出力端子Ｓ１〜Ｓ７の出力に基づきスイッチＳＷ１〜ＳＷ７が切り換わって、アンテナ１１の受信周波数が現在の受信チャンネルの周波数に同調される。
【００６５】
アンテナ１１が受信チャンネルの周波数に同調した状態で、電波受信処理が実行されると、アンテナ１１により高い受信感度で標準電波が受信されてＲＦアンプ１３に入力される。ＲＦアンプ１３は制御回路２０からのＡＧＣ電圧に応じた利得で受信信号を増幅してミキサ１４に出力する。ミキサ１４では、この受信信号がローカル発振器１８の発振信号と混合されて周波数が変換される。ここで、希望波の周波数で送信されている標準電波の信号は中間周波数（例えば９０Ｈｚ）の信号に変換される。そして、これらの周波数変換された信号がＢＰＦ１５に送られることで、中間周波数に変換された標準電波信号のみがＢＰＦ１５を通過し、ＩＦアンプ１６を介して検波回路１７で検波される。検波回路１７で検波されたタイムコード信号は制御回路２０の入力端子ＡＤＣに入力される。制御回路２０は、このタイムコード信号の平均的な信号レベルが一定になるようにＡＧＣ電圧の調整も行う。
【００６６】
このような一連の処理により、標準電波が高感度に受信されて検波されたタイムコード信号が制御回路２０に取り込まれていく。
【００６７】
以上のように、この実施形態の電波受信装置１によれば、伝送線路２２およびスイッチＳＷ８，ＳＷ９からなる伝送手段によって、ローカル周波数の発振信号をアンテナ１１と同調回路１２の間の信号線に伝送することができる。さらに、ミキサ１４の出力をＡＤ変換する構成により、制御回路２０によりミキサ１４の出力の検出することができる。そして、この発振信号の伝送とミキサ１４の出力の検出とを利用することで、アンテナ１１の共振周波数を希望波の周波数に近づける同調回路１２の調整を行うことが可能になっている。
【００６８】
具体的には、制御回路２０により同調回路１２の設定状態を変化させながら、ミキサ１４の出力の検出を行い、このミキサ１４の出力から直流成分の信号レベルが高くなる同調回路１２の設定状態を探索することで、自動的にアンテナ１１の共振周波数の調整が可能になっている。
【００６９】
なお、中間周波数が低い値に設定されている場合には、アンテナ自動調整処理においてアンテナ１１側に伝送する発振信号として、電波受信時に生成されるローカル周波数（希望波の周波数から中間周波数ずらした周波数）の発振信号を採用しても、同調回路１２の適切な調整を行うことが可能であるが、中間周波数が比較的高い値に設定されている場合には、ローカル発振器１８から希望波の周波数とほぼ同一周波数の発振信号を出力させることで、アンテナ１１の共振周波数を希望波の周波数に合わせる調整を正確に行うことができる。
【００７０】
また、ミキサ１４の出力から直流成分を抽出するＤＣフィルタ１９を備え、制御回路２０はこのＤＣフィルタ１９の出力の信号レベルを検出する構成なので、ローカル発振器１８の発振信号がアンテナ１１側に伝送されてＲＦアンプ１３を介してミキサ１４に入力される信号量を正確に検出することができる。
【００７１】
また、伝送線路２２がアンテナ１１と同調回路１２との間の信号線に発振信号を伝送するように接続されているので、伝送された発振信号が同調回路１２を通過してＲＦアンプ１３に入力されるまでに、その信号レベルをアンテナ１１と同調回路１２による受信感度の特性に従った信号レベルにすることができる。
【００７２】
なお、ローカル発振器１８からアンテナ１１側への発振信号の伝送形態は、図１の形態に限られるものではない。例えば、図１の形態では、発振信号を差動信号にしてアンテナ１１側に伝送しているが、シングルエンドの信号として伝送するようにしても良い。また、発振信号の伝送と遮断とをスイッチＳＷ８，ＳＷ９により信号線を接続／切断することで切り換えているが、例えば、伝送線路上にアンプを設け、このアンプの電源をオン・オフするなどして伝送作動状態と非作動状態とを切り換えるようにすることもできる。また、発振信号の伝送先も種々に変更可能である。
【００７３】
図４〜図７には、発振信号をアンテナ１１側に伝送する形態の第１〜第４の変形例を示す。
【００７４】
例えば、図４の電波受信装置１Ａは、伝送線路２２Ａの出力端を同調回路１２の内部の信号線に接続した例である。図５の電波受信装置１Ｂは、伝送線路２２Ｂの出力端を、アンテナ１１の巻線に接続した例である。図６の電波受信装置１Ｃは、伝送線路２２Ｃの先に、アンテナ１１の巻線１１ａと電磁結合した副次的なコイル１１ｂを設け、このコイル１１ｂを介して電磁結合により発振信号をアンテナ１１に伝送するようにした例である。
【００７５】
また、図７の電波受信装置１Ｄは、例えば、高周波の電波信号をアンテナ１１Ｄ（例えばモノポールアンテナやダイポールアンテナ）で受信して復調回路１７Dで復調する受信装置において、伝送線路２２Ｄの先にアンプ２４、放射用のアンテナ２５、終端抵抗２６を設け、放射用アンテナ２５から発振信号を電波にして放射してアンテナ１１Ｄに伝送するようにした例である。
【００７６】
これら図４〜図７の形態を採用しても、発信信号をアンテナ１１側に伝送して、この発振信号が同調回路１２を通過してＲＦアンプ１３に入力されるまでに、その信号レベルをアンテナ１１と同調回路１２による受信感度の特性に従った信号レベルにすることができる。
【００７７】
なお、本発明は、上記実施の形態や図４〜図７の変形例に限られるものではなく、様々な変更が可能である。例えば、上記実施の形態では、アンテナ自動調整処理の際に、ミキサ１４の出力の直流成分の信号レベルをＡＤ変換してその値が最大値のときを、同調回路１２の最適な設定値として求めるようにしているが、例えば、アナログコンパレータによりミキサ１４の直流成分の信号レベルが所定の閾値より高くなったときを同調回路１２の設定状態が良好になったと判定して同調回路１２の設定値として求めるなど、設定状態を良好と判定する条件は種々に変更可能である。
【００７８】
また、ローカル発振器１８からアンテナ１１側に伝送される発振信号の周波数が高くなって、ミキサ１４により発振信号と合成される際に両信号の位相のズレが影響してくる場合には、例えば、伝送経路に発振信号の位相をずらす移相器などを設けて、この位相のズレの影響を小さくするようにしても良い。
【００７９】
また、検波出力の取り込みと、ミキサ１４の出力の検出とを、別途独立して行うようにしても良いし、ミキサ１４の出力をＤＣフィルタ１９を介さずに直接ＡＤ変換してその値から直流成分の信号レベルを算出するようにしても良い。また、上記実施形態では、タイムコードを含んだ標準電波を受信する電波受信装置に本発明を適用した例を示したが、受信する電波の種類は特に制限されるものではない。その他、実施の形態で示した細部構成および細部方法は、発明の趣旨を逸脱しない範囲で適宜変更可能である。
【符号の説明】
【００８０】
１，１Ａ〜１Ｄ  電波受信装置
１１，１１Ｄ    アンテナ
１２    同調回路（同調手段）
Ｃ１〜Ｃ８  コンデンサ
ＳＷ１〜ＳＷ７  スイッチ
１３    ＲＦアンプ
１４    ミキサ（周波数変換手段）
１５    バンドパスフィルタ
１６    ＩＦアンプ
１７    検波回路
１８    ローカル発振器（ローカル発振手段）
１９    ＤＣフィルタ（フィルタ手段）
２０    制御回路
２２    伝送線路
ＳＷ８，ＳＷ９  スイッチ（切換手段）
２３    反転アンプ
Ｒ１，Ｒ２    抵抗
ＳＷ１０，ＳＷ１１  スイッチ
２４    アンプ
２５    放射用アンテナ
１１ｂ  副次的なコイル
【図１】
2010268257.tif 000003
【図２】
2010268257.tif 000004
【図３】
2010268257.tif 000005
【図４】
2010268257.tif 000006
【図５】
2010268257.tif 000007
【図６】
2010268257.tif 000008
【図７】
2010268257.tif 000009